(57)【要約】【課題】  利用者が選択した個々の貴重品ひとつひとつまでの監視を行い、実際に盗難に遭った貴重品の断定をリモートから可能とすることを簡単な装置で構築する。【解決手段】  利用者は携帯電話機１０のライタ１７でＲＦ１Ｄタグ２０ａに貴重品を識別する情報を書き込み、貴重品５ａに貼る。利用者は携帯電話機１０を、留守にする自宅１の玄関など利用者が監視したい対象が映る位置に設置し、同時にＲＦ１Ｄタグ２０ａを検出できるように携帯電話機１０のＲＦＩＤリード機能をＯＮにする。制御部１４は、一定時間間隔でリーダ１６にＲＦ１Ｄタグ２０ａを読み取らせ、監視対象のＲＦ１Ｄタグ２０ａ全てが検知できているかのチェックを行う。１つでも検知できないＲＦ１Ｄタグがある場合は、異常と判断し、カメラ部１１で動画撮影を開始し、ＲＦＩＤの識別情報などと一緒に通信網３０を介してオフィス４のパーソナルコンピュータ４０に異常を通知する。【選択図】      図１
2005151200.tif 000002
【特許請求の範囲】
【請求項１】
通信網に相互に接続された携帯電話機と情報処理端末とを備え、
前記携帯電話機は、識別情報をタグに書き込むライタと、前記タグを読み取るリーダと、前記リーダの読み取り情報をもとに前記タグの異常を検知する検知手段と、異常検知時に警報と異常と検知された前記タグの情報とを送信する手段とを有し、
前記情報処理端末は、前記警報と異常と検知された前記タグの情報とを受信する手段を有することを特徴とする留守宅モニターシステム。
【請求項２】
前記携帯電話機はさらに、監視対象とする前記タグの識別情報を記憶装置に格納する手段と、一定時間間隔で前記リーダに前記タグの識別情報を読み取らせる手段とを有し、前記検知手段は、前記記憶装置に格納された識別情報が全て読み取れているかをチェックし、読み取れなかった識別情報がある場合は、その識別情報に対応するタグが異常であると検知することを特徴とする請求項１記載の留守宅モニターシステム。
【請求項３】
前記タグがＲＦＩＤタグであることを特徴とする請求項１または２記載の留守宅モニターシステム。
【請求項４】
前記携帯電話機は、異常検知時に画像撮影する手段と、撮影した画像を保存する手段とを有することを特徴とする請求項１、２または３記載の留守宅モニターシステム。
【請求項５】
前記携帯電話機は、異常検知時に画像撮影する手段と、撮影した画像を送信する手段とを有し、
前記情報処理端末は、前記画像を受信する手段を有することを特徴とする請求項１、２または３記載の留守宅モニターシステム。
【請求項６】
前記携帯電話機は利用者の自宅に設置され、前記情報処理端末は前記利用者のオフィスに設置され、前記タグは前記利用者が所有する物品に貼られ、前記識別情報はタグが貼られた物品を特定する情報であることを特徴とする請求項１、２、３、４または５記載の留守宅モニターシステム。
【請求項７】
前記携帯電話機は利用者の自宅に設置され、前記情報処理端末は警備会社に設置され、前記タグは前記利用者が所有する物品に貼られ、前記識別情報はタグが貼られた物品を特定する情報であることを特徴とする請求項１、２、３、４または５記載の留守宅モニターシステム。
【請求項８】
前記情報処理端末はさらに前記携帯電話機に発呼する手段を有することを特徴とする請求項１、２、３、４、５、６、または７記載の留守宅モニターシステム。
【請求項９】
スピーカを有する固定電話機を備え、前記携帯電話機は着信電話を前記固定電話機に自動転送する手段を有し、前記情報処理端末は前記携帯電話機に発呼する手段を有することを特徴とする請求項１、２、３、４、５、６、または７記載の留守宅モニターシステム。
【請求項１０】
携帯電話機から識別情報をタグに書き込むステップと、前記携帯電話機で前記タグを読み取るステップと、読み取り情報をもとに前記タグの異常を検知するステップと、異常検知時に警報と異常と検知されたタグの情報とを前記携帯電話機から通信網を介して接続された情報処置端末へ送信するステップとを有することを特徴とする留守宅モニター方法。
【請求項１１】
監視対象とする前記タグの識別情報を前記携帯電話機の記憶装置に格納するステップと、一定時間間隔で前記タグの識別情報を読み取るステップとを有し、前記記憶装置に格納された識別情報が全て読み取れているかをチェックし、読み取れなかった識別情報がある場合は、その識別情報に対応するタグが異常であると検知することを特徴とする請求項１０記載の留守宅モニター方法。
【請求項１２】
前記タグがＲＦＩＤタグであることを特徴とする請求項１０または１１記載の留守宅モニター方法。
【請求項１３】
異常検知時に前記携帯電話機のカメラ部で画像撮影するステップと、撮影した画像を保存するステップとを有することを特徴とする請求項１０、１１または１２記載の留守宅モニター方法。
【請求項１４】
異常検知時に前記携帯電話機のカメラ部で画像撮影するステップと、撮影した画像を前記携帯電話機から前記情報処理端末に送信するステップを有することを特徴とする請求項１０、１１、または１２記載の留守宅モニター方法。
【請求項１５】
前記情報処理端末から前記携帯電話機に発呼するステップと、前記携帯電話機から着信電話をスピーカを有する固定電話機に自動転送するステップとを有することを特徴とする請求項１０、１１、１２、１３または１４記載の留守宅モニター方法。
【請求項１６】
通信網を介して情報処理端末と接続された携帯電話機であって、識別情報をタグに書き込むライタと、前記タグを読み取るリーダと、前記リーダの読み取り情報をもとに前記タグの異常を検知する検知手段と、異常検知時に警報と異常と検知された前記タグの情報とを前記情報処理端末に送信する手段とを有することを特徴とする携帯電話機。
【請求項１７】
さらに、監視対象とする前記タグの識別情報を記憶装置に格納する手段と、一定時間間隔で前記リーダに前記タグの識別情報を読み取らせる手段とを有し、前記検知手段は、前記記憶装置に格納された識別情報が全て読み取れているかをチェックし、読み取れなかった識別情報がある場合は、その識別情報に対応するタグが異常であると検知することを特徴とする請求項１６記載の携帯電話機。
【請求項１８】
前記タグがＲＦＩＤタグであることを特徴とする請求項１６または１７記載の携帯電話機。
【請求項１９】
異常検知時に画像撮影する手段と、撮影した画像を保存する手段とを有することを特徴とする請求項１６、１７または１８記載の携帯電話機。
【請求項２０】
異常検知時に画像撮影する手段と、撮影した画像を前記情報処理端末に送信する手段とを有することを特徴とする請求項１６、１７または１８記載の携帯電話機。
【請求項２１】
携帯電話機から識別情報をタグに書き込む処理と、前記携帯電話機で前記タグを読み取る処理と、読み取り情報をもとに前記タグの異常を検知する処理と、異常検知時に警報と異常と検知されたタグの情報とを前記携帯電話機から通信網を介して接続された情報処理端末へ送信する処理とをコンピュータに実行させるためのプログラム。
【請求項２２】
携帯電話機から識別情報をタグに書き込む処理と、監視対象とする前記タグの識別情報を前記携帯電話機の記憶装置に格納する処理と、一定時間間隔で前記タグの識別情報を読み取る処理と、前記記憶装置に格納された識別情報が全て読み取れているかをチェックし、読み取れなかった識別情報がある場合は、その識別情報に対応するタグが異常であると検知する処理と、異常検知時に警報と異常と検知されたタグの情報とを前記携帯電話機から通信網を介して接続された情報処理端末へ送信する処理とをコンピュータに実行させるためのプログラム。
【請求項２３】
異常検知時に前記携帯電話機のカメラ部で画像撮影する処理と、撮影した画像を保存する処理とをコンピュータに実行させるための請求項２１または２２記載のプログラム。
【請求項２４】
異常検知時に前記携帯電話機のカメラ部で画像撮影する処理と、撮影した画像を前記携帯電話機から前記情報処理端末に送信する処理とをコンピュータに実行させるための請求項２１または２２記載のプログラム。
【発明の詳細な説明】
【技術分野】
【０００１】
本発明は留守宅モニターシステム、留守宅モニター方法および留守宅モニター用プログラムに関し、特に、留守宅に置かれた物品の盗難検知を行う留守宅モニターシステム、留守宅モニター方法および留守宅モニター用プログラムに関する。
【背景技術】
【０００２】
従来の留守宅モニターシステムは、専門のセキュリティ装置やシステム、あるいはサービスを使う必要があった。このような従来の留守宅モニターシステムは、留守宅の盗難を検知するために監視カメラや各種センサー機器などの機材を用いて構築している。
【０００３】
盗難に遭った物品を発見するために照合する方法が、たとえば特許文献１に記載されている。自転車にユニークな登録番号を割り当ててその登録番号を出力するＩＣタグを貼り付け、これを読み取って盗難車リストと照合している。
【０００４】
【特許文献１】特開２００３−１７０８７２号公報（第６−１０頁、図１）
【発明の開示】
【発明が解決しようとする課題】
【０００５】
上述した従来の留守宅モニターシステムは、大がかりな機材を用いて構築する必要があるという問題点があった。
【０００６】
また、個々の貴重品ひとつひとつまでの監視ができず、実際に盗難に遭った貴重品の断定がリモートからは難しいという問題があった。
【０００７】
特許文献１に記載された方法では、盗難監視対象があらかじめユニークな登録番号が割り当てられている乗り物に限定される。
【０００８】
本発明の目的は、利用者が選択した個々の貴重品ひとつひとつまでの監視を行い、実際に盗難に遭った貴重品の断定をリモートから可能とすることを簡単な装置で構築する留守宅モニターシステム、留守宅モニター方法および留守宅モニター用プログラムを提供することにある。
【課題を解決するための手段】
【０００９】
本発明の留守宅モニターシステムは、通信網に相互に接続された携帯電話機と情報処理端末とを備え、
前記携帯電話機は、識別情報をタグに書き込むライタと、前記タグを読み取るリーダと、前記リーダの読み取り情報をもとに前記タグの異常を検知する検知手段と、異常検知時に警報と異常と検知された前記タグの情報とを送信する手段とを有し、
前記情報処理端末は、前記警報と異常と検知された前記タグの情報とを受信する手段を有することを特徴とする。
【００１０】
本発明の留守宅モニターシステムは、前記携帯電話機はさらに、監視対象とする前記タグの識別情報を記憶装置に格納する手段と、一定時間間隔で前記リーダに前記タグの識別情報を読み取らせる手段とを有し、前記検知手段は、前記記憶装置に格納された識別情報が全て読み取れているかをチェックし、読み取れなかった識別情報がある場合は、その識別情報に対応するタグが異常であると検知することを特徴としてもよい。
【００１１】
本発明の留守宅モニターシステムは、前記タグがＲＦＩＤタグであることを特徴としてもよい。
【００１２】
本発明の留守宅モニターシステムは、前記携帯電話機は、異常検知時に画像撮影する手段と、撮影した画像を保存する手段とを有することを特徴としてもよい。
【００１３】
本発明の留守宅モニターシステムは、前記携帯電話機は、異常検知時に画像撮影する手段と、撮影した画像を送信する手段とを有し、
前記情報処理端末は、前記画像を受信する手段を有することを特徴としてもよい。
【００１４】
本発明の留守宅モニターシステムは、前記携帯電話機は利用者の自宅に設置され、前記情報処理端末は前記利用者のオフィスに設置され、前記タグは前記利用者が所有する物品に貼られ、前記識別情報はタグが貼られた物品を特定する情報であることを特徴としてもよい。
【００１５】
本発明の留守宅モニターシステムは、前記携帯電話機は利用者の自宅に設置され、前記情報処理端末は警備会社に設置され、前記タグは前記利用者が所有する物品に貼られ、前記識別情報はタグが貼られた物品を特定する情報であることを特徴としてもよい。
【００１６】
本発明の留守宅モニターシステムは、前記情報処理端末はさらに前記携帯電話機に発呼する手段を有することを特徴としてもよい。
【００１７】
本発明の留守宅モニターシステムは、スピーカを有する固定電話機を備え、前記携帯電話機は着信電話を前記固定電話機に自動転送する手段を有し、前記情報処理端末は前記携帯電話機に発呼する手段を有することを特徴としてもよい。
【００１８】
本発明の留守宅モニター方法は、携帯電話機から識別情報をタグに書き込むステップと、前記携帯電話機で前記タグを読み取るステップと、読み取り情報をもとに前記タグの異常を検知するステップと、異常検知時に警報と異常と検知されたタグの情報とを前記携帯電話機から通信網を介して接続された情報処置端末へ送信するステップとを有することを特徴とする。
【００１９】
本発明の留守宅モニター方法は、監視対象とする前記タグの識別情報を前記携帯電話機の記憶装置に格納するステップと、一定時間間隔で前記タグの識別情報を読み取るステップとを有し、前記記憶装置に格納された識別情報が全て読み取れているかをチェックし、読み取れなかった識別情報がある場合は、その識別情報に対応するタグが異常であると検知することを特徴としてもよい。
【００２０】
本発明の留守宅モニター方法は、前記タグがＲＦＩＤタグであることを特徴としてもよい。
【００２１】
本発明の留守宅モニター方法は、異常検知時に前記携帯電話機のカメラ部で画像撮影するステップと、撮影した画像を保存するステップとを有することを特徴としてもよい。
【００２２】
本発明の留守宅モニター方法は、異常検知時に前記携帯電話機のカメラ部で画像撮影するステップと、撮影した画像を前記携帯電話機から前記情報処理端末に送信するステップを有することを特徴としてもよい。
【００２３】
本発明の留守宅モニター方法は、前記情報処理端末から前記携帯電話機に発呼するステップと、前記携帯電話機から着信電話をスピーカを有する固定電話機に自動転送するステップとを有することを特徴としてもよい。
【００２４】
本発明の携帯電話機は、通信網を介して情報処理端末と接続された携帯電話機であって、識別情報をタグに書き込むライタと、前記タグを読み取るリーダと、前記リーダの読み取り情報をもとに前記タグの異常を検知する検知手段と、異常検知時に警報と異常と検知された前記タグの情報とを前記情報処理端末に送信する手段とを有することを特徴とする。
【００２５】
本発明の携帯電話機は、さらに、監視対象とする前記タグの識別情報を記憶装置に格納する手段と、一定時間間隔で前記リーダに前記タグの識別情報を読み取らせる手段とを有し、前記検知手段は、前記記憶装置に格納された識別情報が全て読み取れているかをチェックし、読み取れなかった識別情報がある場合は、その識別情報に対応するタグが異常であると検知することを特徴としてもよい。
【００２６】
本発明の携帯電話機は、前記タグがＲＦＩＤタグであることを特徴としてもよい。
【００２７】
本発明の携帯電話機は、異常検知時に画像撮影する手段と、撮影した画像を保存する手段とを有することを特徴としてもよい。
【００２８】
本発明の携帯電話機は、異常検知時に画像撮影する手段と、撮影した画像を前記情報処理端末に送信する手段とを有することを特徴としてもよい。
【００２９】
本発明のプログラムは、携帯電話機から識別情報をタグに書き込む処理と、前記携帯電話機で前記タグを読み取る処理と、読み取り情報をもとに前記タグの異常を検知する処理と、異常検知時に警報と異常と検知されたタグの情報とを前記携帯電話機から通信網を介して接続された情報処理端末へ送信する処理とをコンピュータに実行させる。
【００３０】
本発明のプログラムは、携帯電話機から識別情報をタグに書き込む処理と、監視対象とする前記タグの識別情報を前記携帯電話機の記憶装置に格納する処理と、一定時間間隔で前記タグの識別情報を読み取る処理と、前記記憶装置に格納された識別情報が全て読み取れているかをチェックし、読み取れなかった識別情報がある場合は、その識別情報に対応するタグが異常であると検知する処理と、異常検知時に警報と異常と検知されたタグの情報とを前記携帯電話機から通信網を介して接続された情報処理端末へ送信する処理とをコンピュータに実行させるようにしてもよい。
【００３１】
本発明のプログラムは、異常検知時に前記携帯電話機のカメラ部で画像撮影する処理と、撮影した画像を保存する処理とをコンピュータに実行させるようにしてもよい。
【００３２】
本発明のプログラムは、異常検知時に前記携帯電話機のカメラ部で画像撮影する処理と、撮影した画像を前記携帯電話機から前記情報処理端末に送信する処理とをコンピュータに実行させるようにしてもよい。
【発明の効果】
【００３３】
本発明によれば、監視カメラや各種センサーなどの専門のセキュリティ監視装置がなくても、主に携帯電話とＲＦＩＤ（Radio Frequency Identification）タグといった簡単で安価な装置だけで、留守宅モニターシステムを構築できるという効果がある。
【００３４】
また、ＲＦＩＤタグに個々の貴重品の情報を利用者が自由に書き込めるため、利用者にとってわかりやすい情報が異常時に通知されるという効果がある。ＲＦＩＤタグを、利用者が好きな場所に簡単に設置（貼る）できる。
【００３５】
また、既存の動画撮影機能付き携帯電話機を使用することで、現場の状況を動画で残せる、またリアルタイムに利用者のオフィスのパーソナルコンピュータに表示できるという効果がある。
【００３６】
また、ＲＦＩＤタグを各々の貴重品などに貼れるため、万一盗難が発生した場合にも、何が盗まれたのかがリモート環境からでもリアルタイムに分かる可能性が高いという効果がある。
【発明を実施するための最良の形態】
【００３７】
本発明を実施するための最良の形態について図面を参照して詳細に説明する。図１は、本発明の第１の実施の形態の構成を示すブロック図である。利用者の自宅１に置かれた携帯電話機１０と、通信網３０と、利用者のオフィス４に置かれたパーソナルコンピュータ４０とを含む。さらに、自宅１にはＲＦＩＤタグ２０ａ、２０ｂ、２０ｃがあり、これらのＲＦＩＤタグは貴重品５ａ、５ｂ、５ｃに貼られている。図１に示す例では、貴重品５ｃは引き出し６の内部にある。貴重品５ａ、５ｂ、５ｃは高価な物品に限定されるものではなく、利用者が盗まれては困ると考える物品である。自宅１への侵入者が移動させる可能性の高い物品であってもよい。携帯電話機１０を屋内に固定して使うため、充電中の状態でも使えるため、携帯電話機１０のバッテリが切れる心配が無い。
【００３８】
貴重品とＲＦＩＤタグの個数は３個に限定されるものではなく、１個以上であればよい。また、タグはＲＦＩＤタグに限定されるものではないが、ＲＦＩＤタグを使用することにより簡単で安価なシステムが実現できる。
【００３９】
通信網３０は、携帯電話機１０とパーソナルコンピュータ４０との通信を行うもので、たとえばインターネットである。
【００４０】
携帯電話機１０は、静止画や動画を撮影するカメラ部１１と情報を表示するためのＬＣＤ（liquid crystal device）等の表示部１２と、データを入力するための操作部１３と、データを一時記憶する記憶部１５と、ＲＦＩＤタグ２０ａ、２０ｂ、２０ｃに情報を書き込むライタ１７とＲＦＩＤタグ２０ａ、２０ｂ、２０ｃの情報を読み取るリーダ１６と、これら携帯電話機１０内の各部を制御する制御部１４とを有する。
【００４１】
パーソナルコンピュータ４０は、通常用いられるものでよく、情報を表示するための表示部４２とデータ入力を行う操作部４３とデータを一時記憶する記憶部（図示せず）とを有する。パーソナルコンピュータ４０は、通信網３０に接続できるものであれば、他の情報処理端末であってよい。
【００４２】
次に、第１の実施の形態の動作について説明する。図２は事前処理の動作を示すフローチャートである。利用者は携帯電話機１０のライタ１７でＲＦ１Ｄタグ２０ａ、２０ｂ、２０ｃに貴重品を識別するための番号や品名などの情報を書き込み（ステップＳ２０１０）、貴重品５ａ、５ｂ、５ｃに貼り付ける。
【００４３】
図３は、留守宅モニターの動作を示すフローチャートである。利用者は携帯電話機１０を、留守にする自宅１の玄関など侵入者を撮影し易い場所か、貴重品５ａ、５ｂ、５ｃを撮影できる場所など、利用者が監視したい対象が映る位置に設置し、同時にＲＦ１Ｄタグ２０ａ、２０ｂ、２０ｃを検出できるように携帯電話機１０のＲＦＩＤリード機能をＯＮにしておく（ステップＳ３０１０）。
【００４４】
このとき、監視対象のＲＦ１Ｄタグ２０ａ、２０ｂ、２０ｃ全てが携帯電話機１０のリーダ１６が検知できるエリア内にあることを確認する（ステップＳ３０２０）。必要があれば、リーダ１６の出力レベルを調整する。監視対象とするＲＦ１Ｄタグ２０ａ、２０ｂ、２０ｃの識別情報を記憶部１５に格納する。
【００４５】
制御部１４は、一定時間間隔でリーダ１６にＲＦ１Ｄタグ２０ａ、２０ｂ、２０ｃを読み取らせ（ステップＳ３０３０）、記憶部１５から読み出した識別情報と照合して、監視対象のＲＦ１Ｄタグ２０ａ、２０ｂ、２０ｃ全てが検知できているかのチェックを行う（ステップＳ３０４０）。全てが検知できている場合はステップＳ３０３０の処理を継続する。
【００４６】
ステップＳ３０４０でＮＯの場合、すなわち、１つでも検知できないＲＦ１Ｄタグがある場合は、異常と判断し、カメラ部１１で動画撮影を開始し、ＲＦＩＤの識別情報などと一緒に通信網３０を介してオフィス４のパーソナルコンピュータ４０に異常が通知される（Ｓ３０５０）。たとえば、ＲＦＩＤタグ２０ａが検知できない場合は、貴重品５ａの識別情報である番号や品名とともに、この貴重品５ａに異常が生じたことが通知される。撮影した動画像はパーソナルコンピュータ４０に送信するとともに、記憶部１５に保存する。
【００４７】
オフィス４に居る利用者は、パーソナルコンピュータ４０で異常通知を受信し、貴重品５ａに異常が生じたことを表示部４２で確認することができる。また、動画像を受信することにより、現場の状況をリアルタイムに表示部４２に表示することができる。動画像をパーソナルコンピュータ４０で受信せず、後で携帯電話機１０の記憶部１５に保存されたものを見ることもできる。カメラ部１１が撮影する画像は動画像でなく静止画像であってもよい。
【００４８】
次に、本発明の第２の実施の形態について説明する。第２の実施の形態の概略構成は第１の実施の形態（図１）と同じである。パーソナルコンピュータ４０は通信網３０を介して携帯電話機１０に発呼する機能を有する。利用者は、携帯電話機１０からパーソナルコンピュータ４０に異常が通知されると、パーソナルコンピュータ４０から携帯電話機１０に電話をかける。携帯電話機１０では呼び出し音が鳴るため、侵入者を驚かせる効果があり、侵入者が何も盗らずに退出することも期待できる。
【００４９】
次に、本発明の第３の実施の形態について説明する。図４は第３の実施の形態の構成を示すブロック図である。図４を参照すると、第１の実施の形態（図１）の構成に加えて、自宅１に固定電話機５０を有する。固定電話機５０はスピーカ５８を有する。携帯電話機１０は着信を固定電話機５０に転送する機能を有する。利用者はあらかじめ、携帯電話機１０への着信を固定電話機５０に転送するよう設定しておく。パーソナルコンピュータ４０は第２の実施の形態と同様に、通信網３０を介して携帯電話機１０に発呼する機能を有する。
【００５０】
携帯電話機１０からパーソナルコンピュータ４０に異常が通知されると、利用者はパーソナルコンピュータ４０から携帯電話機１０に電話をかけて、たとえば侵入者を威嚇する声を発する。この声は携帯電話機１０から固定電話機５０に転送され、スピーカ５８から発せられる。侵入者を威嚇する効果があり、侵入者が何も盗らずに退出することも期待できる。
【００５１】
第１〜第３の実施の形態では、オフィス４のパーソナルコンピュータ４０に異常を通知する例を説明したが、通知先はこれに限定されるものではなく、たとえば警備会社の情報処理端末であってもよく、警察（１１０番）、あるいは、利用者とは別のセキュリティ管理者であってもよい。また、オフィスではなく出先にいる利用者が持つ別の携帯端末（携帯電話機やＰＤＡ）に通知するようにしてもよい。利用者が携帯端末から自宅の携帯電話機に電話をかけることは容易である。さらに、通信網やオフィスがなくても自宅の中だけに閉じたシステム構成も可能であり、証拠写真の記録やシャッタ音などで犯人を脅すことができる。
【００５２】
本発明の第１〜第３の実施の形態の携帯電話機１０またはパーソナルコンピュータ４０の動作はコンピュータ・プログラム処理により行わせることが可能である。すなわち、記録媒体に記録したプログラムを携帯電話機１０またはパーソナルコンピュータ４０に読み込ませるか、あるいは、ネットワークからプログラムを携帯電話機１０またはパーソナルコンピュータ４０に読み込ませて、実施の形態で説明した動作を実行させる。
【図面の簡単な説明】
【００５３】
【図１】第１の実施の形態の構成を示すブロック図である。
【図２】事前処理の動作を示すフローチャートである。
【図３】留守宅モニターの動作を示すフローチャートである。
【図４】第３の実施の形態の構成を示すブロック図である。
【符号の説明】
【００５４】
１    自宅
４    オフィス
５ａ、５ｂ、５ｃ    貴重品
６    引き出し
１０    携帯電話機
１１    カメラ部
１２    表示部
１３    操作部
１４    制御部
１５    記憶部
１６    リーダ
１７    ライタ
２０ａ、２０ｂ、２０ｃ    ＲＦＩＤタグ
３０    通信網
４０    パーソナルコンピュータ
４２    表示部
４３    操作部
５０    固定電話機
５８    スピーカ
【図１】
2005151200.tif 000003
【図２】
2005151200.tif 000004
【図３】
2005151200.tif 000005
【図４】
2005151200.tif 000006